(57)【特許請求の範囲】
【請求項１】
アンテナと、第１のコネクタとを含むアンテナモジュールと、
導体部分を有する基板と、
前記基板に設けられ、前記第１のコネクタに接続される第２のコネクタと、を備え、
前記第１のコネクタおよび前記第２のコネクタのそれぞれは、異なる信号を伝送するための端子を２以上有し、
前記第１のコネクタおよび前記第２のコネクタは、少なくとも第１の接続状態と、前記第１の接続状態と端子同士の接続が異なる第２の接続状態とを有し、
前記アンテナは、前記第１の接続状態および前記第２の接続状態のいずれかの接続状態を採ることにより位置調整が可能である、
無線通信装置。
【請求項２】
前記基板を平面視したとき、
前記第１の接続状態では、前記アンテナと前記導体部分とが重なる位置関係になり、
前記第２の接続状態では、前記アンテナと前記導体部分とが重ならない位置関係になる、
請求項１に記載の無線通信装置。
【請求項３】
前記第２のコネクタには、同じ機能を有する端子同士が点対称に配置され、
前記第２の接続状態では、前記アンテナの位置が前記第１の接続状態における位置から、前記点対称の中心を通る前記基板と垂直な軸を中心に反転した位置にある
請求項２に記載の無線通信装置。
【請求項４】
前記端子には、整合調整用回路が電気的に接続された端子が含まれる
請求項３に記載の無線通信装置。
【請求項５】
前記整合調整用回路は、複数の整合調整用素子から所望の整合調整用素子を選択する回路、又は、可変整合調整用素子で構成された回路であり、
前記整合調整用回路のインピーダンスは可変である
請求項４に記載の無線通信装置。
【請求項６】
前記整合調整用回路は、前記第２のコネクタと前記基板の前記導体部分である接地電極との間に挿入されている
請求項４又は５に記載の無線通信装置。
【発明の詳細な説明】
【技術分野】
【０００１】
本発明は、アンテナモジュール及び無線通信装置に関する。
【背景技術】
【０００２】
利用者が操作するリモコン等の無線機と全方向から通信可能な状態と、所定の方向から通信可能な状態とを切り替えられるアクセスポイント等の無線通信装置が要求されている。つまり、指向性が切り替えられる無線通信装置が要求されている。これに対し、特許文献１には、指向性が切り替えられる無線通信装置に関する技術が開示されている。
【先行技術文献】
【特許文献】
【０００３】
【特許文献１】特開２００６−３５２４３６号公報
【発明の概要】
【発明が解決しようとする課題】
【０００４】
しかしながら、特許文献１に開示された無線通信装置では、指向性の異なる複数のアンテナのうちから所望のアンテナを選択することで指向性が切り替えられており、複数のアンテナを組み合わせているために無線通信装置が大型化してしまう。
【０００５】
そこで本発明は、１つのアンテナで容易に指向性を切り替えられるアンテナモジュール及び無線通信装置を提供することを目的とする。
【課題を解決するための手段】
【０００６】
本発明の一態様に係るアンテナモジュールは、基板に取り付けられるアンテナと、前記基板の平面視において前記アンテナと前記基板が有する導体部分との位置関係が変化するように、当該アンテナを当該基板に位置調整可能に取り付ける第１のコネクタと、を備える。
【０００７】
これにより、アンテナと基板との位置を調整しながらアンテナを基板に取り付けることができるため、基板の平面視におけるアンテナと導体部分との位置関係を容易に変化させることができる。したがって、平面視においてアンテナと導体部分とが重なる部分を変化させることができるため、１つのアンテナで容易に指向性を切り替えられる。
【０００８】
また、前記位置関係には、前記アンテナと前記導体部分とが前記平面視において重なる位置関係、及び、当該アンテナと当該導体部分とが当該平面視において重ならない位置関係が含まれる。
【０００９】
これにより、アンテナと導体部分との位置関係として、例えば、アンテナと導体部分とが平面視において重なる又は重ならないようにアンテナを基板に取り付けるだけで、１つのアンテナで容易に単一指向性と無指向性とを切り替えられる。
【００１０】
本発明の一態様に係る無線通信装置は、上記のアンテナモジュールと、前記第１のコネクタが接続される第２のコネクタを備える前記基板と、前記アンテナを介して高周波信号の処理を行う通信回路部と、を備える。
【００１１】
これにより、アンテナモジュールと基板とが一体になった無線通信装置によって、１つのアンテナで容易に指向性を切り替えられる。
【００１２】
また、前記位置関係は、前記第１のコネクタと前記第２のコネクタとの接続状態に応じて変化する。
【００１３】
これにより、第１のコネクタと第２のコネクタとの接続状態を変えるだけで、アンテナと導体部分との位置関係が変化するため、１つのアンテナで容易に指向性を切り替えられる。
【００１４】
また、前記第２のコネクタには、同じ機能を有する端子同士が点対称に配置され、前記接続状態には、第１の接続状態及び第２の接続状態が含まれ、前記第１の接続状態では、前記アンテナと前記導体部分とが前記平面視において重なる位置関係になり、前記第２の接続状態では、前記アンテナと前記導体部分とが前記平面視において重ならない位置関係になり、かつ、前記アンテナの位置が前記第１の接続状態における位置から、前記点対称の中心を通る前記基板と垂直な軸を中心に反転した位置にある。
【００１５】
これにより、第１のコネクタと第２のコネクタとを反転させるとき（第１の接続状態）又は反転させないとき（第２の接続状態）のどちらの状態で接続しても、アンテナモジュールが機能するように第２のコネクタの端子が配置されている。したがって、第１のコネクタと第２のコネクタとを反転又は反転させないで接続することで、アンテナと導体部分との位置関係が変化するため、１つのアンテナで容易に指向性を切り替えられる。また、第１の接続状態と第２の接続状態とによって、１つのアンテナで容易に単一指向性と無指向性とを切り替えられる。
【００１６】
また、前記端子には、整合調整用回路が電気的に接続された端子が含まれる。
【００１７】
これにより、アンテナの放射特性又は効率を最適化することができる。
【００１８】
また、前記整合調整用回路は、複数の整合調整用素子から所望の整合調整用素子を選択する回路、又は、可変整合調整用素子で構成された回路であり、前記整合調整用回路のインピーダンスは可変である。
【００１９】
これにより、整合調整用回路のインピーダンスを可変とすることができるため、アンテナの放射特性を細かく調整することができる。
【００２０】
また、前記整合調整用回路は、前記第２のコネクタと前記基板の前記導体部分である接地電極との間に挿入されている。
【００２１】
これにより、基板の導体部分である接地電極に流れる高周波電流を調整することができるため、アンテナ特性の最適化を容易に行える。
【発明の効果】
【００２２】
本発明に係るアンテナモジュール及び無線通信装置によれば、１つのアンテナで容易に指向性を切り替えられる。
【図面の簡単な説明】
【００２３】
【図１】図１は、実施の形態１に係るアンテナモジュールの外観の一例を示す上面図である。
【図２】図２は、実施の形態１に係る基板の外観の一例を示す上面図である。
【図３】図３は、実施の形態１に係るアンテナモジュールの機能の一例を示すブロック図である。
【図４】図４は、実施の形態１に係る基板の機能の一例を示すブロック図である。
【図５】図５は、実施の形態１に係る第１のコネクタが有する端子の配置を説明する図である。
【図６】図６は、実施の形態１に係る第２のコネクタが有する端子の配置を説明する図である。
【図７Ａ】図７Ａは、実施の形態１に係るアンテナモジュール及び基板の第１の接続状態となるときの側面図である。
【図７Ｂ】図７Ｂは、実施の形態１に係るアンテナモジュール及び基板の第２の接続状態となるときの側面図である。
【図８Ａ】図８Ａは、実施の形態１に係る無線通信装置の第１の接続状態における上面図である。
【図８Ｂ】図８Ｂは、実施の形態１に係る無線通信装置の第１の接続状態における側面図である。
【図８Ｃ】図８Ｃは、実施の形態１に係る第１のコネクタ及び第２のコネクタが有する端子の第１の接続状態における配置を示す図である。
【図９Ａ】図９Ａは、実施の形態１に係る無線通信装置の第２の接続状態における上面図である。
【図９Ｂ】図９Ｂは、実施の形態１に係る無線通信装置の第２の接続状態における側面図である。
【図９Ｃ】図９Ｃは、実施の形態１に係る第１のコネクタ及び第２のコネクタが有する端子の第２の接続状態における配置を示す図である。
【図１０Ａ】図１０Ａは、実施の形態１に係るアンテナの第１の接続状態における放射状態を示す模式図である。
【図１０Ｂ】図１０Ｂは、実施の形態１に係るアンテナの第２の接続状態における放射状態を示す模式図である。
【図１１】図１１は、実施の形態２に係る基板の機能の一例を示すブロック図である。
【発明を実施するための形態】
【００２４】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密に図示されたものではない。
【００２５】
（実施の形態１）
以下、実施の形態１について、図１から図５を用いて説明する。
【００２６】
［無線通信装置の構成］
無線通信装置は、アンテナモジュールと基板（セット基板）とが接続された装置であり、利用者が操作するリモコン等と通信する装置である。無線通信装置には、例えば、無線により操作される機器が搭載される。無線により操作される機器は、例えば、照明器具又は空調機器等である。本実施の形態では、無線通信装置には、例えば照明器具が搭載されて、無線により照明器具のオン、オフ、調光等の操作がされる。
【００２７】
まず、アンテナモジュール１００の構成について説明する。
【００２８】
図１は、実施の形態１に係るアンテナモジュール１００の外観の一例を示す上面図（部品面から見た図）である。
【００２９】
アンテナモジュール１００は、アンテナ内蔵無線モジュールであって、例えば、ＢｔｏＢ（Ｂｏａｒｄ  ｔｏ  Ｂｏａｒｄ）コネクタで後述する基板２００に接続される。アンテナモジュール１００は、基板２００から電力を供給されて動作する。アンテナモジュール１００は、アンテナ１０と、第１のコネクタ１２０と、通信回路部１３０とを備える。なお、アンテナモジュール１００は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等を備えてもよい。本実施の形態では、アンテナモジュール１００は、後述する図３に示されるように、ＣＰＵ１４０、ＲＯＭ１５０及びＲＡＭ１６０を備えるが、図１では、図示を省略している。
【００３０】
アンテナ１０は、高周波信号を電波として空間中に送信したり、空間中の電波を受信したりする装置であって、図１に示されるように、例えば、基板上に設けられた配線をアンテナとしたパターンアンテナである。また、アンテナ１０は、例えば、モノポールアンテナであり、給電点１１から高周波電力が給電される。なお、アンテナ１０は、パターンアンテナに限らず、チップアンテナ等であってもよい。アンテナ１０は、第１のコネクタ１２０が後述する第２のコネクタ２２０に接続されることで、基板２００に取り付けられる。
【００３１】
第１のコネクタ１２０は、アンテナ１０を基板２００に取り付けるためのコネクタであって、例えば、ＢｔｏＢコネクタである。第１のコネクタ１２０は、例えばオス型のコネクタであり、メス型のコネクタと接続する。第１のコネクタ１２０は、基板２００の平面視においてアンテナ１０と基板２００が有する導体部分との位置関係が変化するように、アンテナ１０を基板２００に位置調整可能に取り付ける。なお、以下では基板２００の平面視のことを、単に平面視とも呼ぶ。第１のコネクタ１２０が有する端子については、後述する図３及び図５で詳細に説明する。
【００３２】
通信回路部１３０は、アンテナ１０を介して高周波信号の処理を行う回路であり、アンテナ１０と電気的に接続され、アンテナ１０を介して外部の無線機器（利用者が操作するリモコン等）と所定の周波数帯域の通信を行う。
【００３３】
次に、基板２００の構成について説明する。
【００３４】
図２は、実施の形態１に係る基板２００の外観の一例を示す上面図（部品面から見た図）である。基板２００は、導体部分２１０と、第２のコネクタ２２０と、整合調整用回路とを備える。なお、本実施の形態では、基板２００には、後述する図４に示されるように、ＣＰＵ２４０、ＲＯＭ２５０及びＲＡＭ２６０、電源２７０、照明器具に関する部品として光源駆動電源２８０及び光源２９０が実装されるが、図２では、図示を省略している。
【００３５】
導体部分２１０は、基板２００の内層に基板２００の略全面に亘って配置されている。導体部分２１０は、例えば、銅等の金属であり、基板２００における接地（ＧＮＤ）電極となっている。
【００３６】
第２のコネクタ２２０は、第１のコネクタ１２０が接続されるコネクタであって、例えば、ＢｔｏＢコネクタである。第２のコネクタ２２０は、例えば、メス型のコネクタである。第２のコネクタ２２０が有する端子については、後述する図４及び図６で詳細に説明する。
【００３７】
整合調整用回路は、導体部分２１０に流れる高周波電流を調整するための回路であって、例えば、整合調整用素子２３０から構成される。整合調整用素子２３０のインピーダンスに応じて、アンテナ１０の放射特性が設計される。整合調整用素子２３０は、例えば、直流抵抗が十分小さいチップインダクタである。なお、整合調整用回路は、複数の整合調整用素子２３０から構成されてもよい。また、整合調整用回路が複数の整合調整用素子２３０から構成される場合、複数の整合調整用素子２３０がそれぞれ同じ箇所に接続されなくてもよい。例えば、定数の異なる複数の整合調整用素子２３０のうちの所定の整合調整用素子２３０が、後述するＧＮＤ１端子に接続され、他の整合調整用素子２３０が、後述するＧＮＤ２端子に接続されてもよい。
【００３８】
次に、アンテナモジュール１００の機能について説明する。
【００３９】
図３は、実施の形態１に係るアンテナモジュール１００の機能の一例を示すブロック図である。
【００４０】
図３に示されるように、アンテナモジュール１００では、アンテナ１０と通信回路部１３０とが電気的に接続し、通信回路部１３０とＣＰＵ１４０とが電気的に接続し、ＣＰＵ１４０と第１のコネクタ１２０とが電気的に接続している。そして、第１のコネクタ１２０は、基板２００が備える第２のコネクタ２２０と嵌合されて接続される。これにより、例えば、利用者がリモコン等により送信した照明器具を操作する信号をアンテナ１０が受信すると、照明器具を操作する信号は、通信回路部１３０、ＣＰＵ１４０及び第１のコネクタ１２０を介して基板２００へ送られる。
【００４１】
ＣＰＵ１４０は、第１のコネクタ１２０を介して基板２００が備えるＣＰＵ２４０と、例えば、汎用非同期通信（ＵＡＲＴ：Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を用いて通信をするマイコンである。図３には、ＣＰＵ１４０と第１のコネクタ１２０とが１本の線で接続しているように示されているが、実際には、ＣＰＵ１４０が有するＲｅｓｅｔピン、Ｗａｋｅピン、ＣＴＳ（Ｃｌｅａｒ  Ｔｏ  Ｓｅｎｄ）ピン、ＲＴＳ（Ｒｅｑｕｅｓｔ  Ｔｏ  Ｓｅｎｄ）ピン、ＴＸピン、ＲＸピン、ＶＤＤピン及びＧＮＤピンと、第１のコネクタ１２０が有するＲｅｓｅｔ端子、Ｗａｋｅ端子、ＣＴＳ端子、ＲＴＳ端子、ＴＸ端子、ＲＸ端子、ＶＤＤ端子及びＧＮＤ端子とが、それぞれ電気的に接続している。
【００４２】
ここで、Ｒｅｓｅｔ端子、Ｗａｋｅ端子、ＣＴＳ端子、ＲＴＳ端子、ＴＸ端子、ＲＸ端子、ＶＤＤ端子及びＧＮＤ端子の機能について説明する。
【００４３】
Ｒｅｓｅｔ端子は、ＣＰＵ１４０の内部状態を初期値に戻すための端子である。第１のコネクタ１２０が有するＲｅｓｅｔ端子は、第２のコネクタ２２０が有するＲｅｓｅｔ端子と接続されて、例えば第２のコネクタ２２０（ＣＰＵ２４０）からリセット命令を受ける。
【００４４】
Ｗａｋｅ端子は、無線機能を使用しないときはＣＰＵ１４０をスリープ状態とし、無線機能を使用するときのみ動作状態とするための端子である。つまり、Ｗａｋｅ端子により、消費電力を低減することができる。第１のコネクタ１２０が有するＷａｋｅ端子は、第２のコネクタ２２０が有するＷａｋｅ端子と接続されて、例えば第２のコネクタ２２０（ＣＰＵ２４０）からスリープ命令又は動作命令を受ける。
【００４５】
ＣＴＳ端子及びＲＴＳ端子は、フロー制御をするための端子である。第１のコネクタ１２０が有するＣＴＳ端子は、第２のコネクタ２２０が有するＣＴＳ端子と接続され、第１のコネクタ１２０が有するＲＴＳ端子は、第２のコネクタ２２０が有するＲＴＳ端子と接続される。
【００４６】
ＴＸ端子及びＲＸ端子は、データを送受信するための端子である。第１のコネクタ１２０が有するＴＸ端子は、第２のコネクタ２２０が有するＴＸ端子と接続され、第１のコネクタ１２０が有するＲＸ端子は、第２のコネクタ２２０が有するＲＸ端子と接続される。
【００４７】
第１のコネクタ１２０が有するＶＤＤ端子は、アンテナモジュール１００への電力が供給される端子である。第１のコネクタ１２０が有するＶＤＤ端子は、第２のコネクタ２２０が有するＶＤＤ端子と接続されて、例えば基板２００が備える電源２７０から電力が供給される。図３には、ＶＤＤ端子に供給された電力は、第１のコネクタ１２０を介してＣＰＵ１４０にのみ供給されているように示されているが、ＶＤＤ端子に供給された電力は、例えば、通信回路部１３０、ＲＯＭ１５０及びＲＡＭ１６０にも供給される。
【００４８】
第１のコネクタ１２０が有するＧＮＤ端子は、第２のコネクタ２２０が有するＧＮＤ１端子及びＧＮＤ２端子のうちのどちらか一方に接続される。なお、図３には、ＧＮＤ端子は、第１のコネクタ１２０を介してＣＰＵ１４０にのみ接続されているように示されているが、ＧＮＤ端子は、例えば、通信回路部１３０、ＲＯＭ１５０及びＲＡＭ１６０にも接続される。
【００４９】
ＲＯＭ１５０は、不揮発性メモリであり、ＲＡＭ１６０は、揮発性メモリである。ＲＯＭ１５０は、例えば、ＣＰＵ１４０に実行させるプログラム等を記憶している。
【００５０】
なお、図３には、クロックが示されていないが、アンテナモジュール１００が外部クロックを有してもよく、ＣＰＵ１４０が内部クロックを有してもよい。
【００５１】
次に、基板２００の機能について説明する。
【００５２】
図４は、実施の形態１に係る基板２００の機能の一例を示すブロック図である。
【００５３】
図４に示されるように、ＣＰＵ２４０は、第２のコネクタ２２０及び光源駆動電源２８０と電気的に接続している。これにより、例えば、利用者がリモコン等により送信した照明器具を操作する信号は、第１のコネクタ１２０と接続された第２のコネクタ２２０及びＣＰＵ２４０を介して光源駆動電源２８０へ送られる。そして、光源駆動電源２８０は、照明器具を操作する信号に応じて、例えば、光源２９０を点灯、消灯又は調光点灯等させる。
【００５４】
ＣＰＵ２４０は、第２のコネクタ２２０を介してアンテナモジュール１００が備えるＣＰＵ１４０と、例えば、ＵＲＡＴを用いて通信をするマイコンである。図４には、ＣＰＵ２４０と第２のコネクタ２２０とが１本の線で接続しているように示されているが、実際にはＣＰＵ１４０と同様に、ＣＰＵ２４０が有するＲｅｓｅｔピン、Ｗａｋｅピン、ＣＴＳピン、ＲＴＳピン、ＴＸピン、ＲＸピン及びＶＤＤピンと、第２のコネクタ２２０が有するＲｅｓｅｔ端子、Ｗａｋｅ端子、ＣＴＳ端子、ＲＴＳ端子、ＴＸ端子、ＲＸ端子及びＶＤＤ端子とがそれぞれ電気的に接続している。
【００５５】
ここで、ＧＮＤ１端子及びＧＮＤ２端子の機能について説明する。なお、Ｒｅｓｅｔ端子、Ｗａｋｅ端子、ＣＴＳ端子、ＲＴＳ端子、ＴＸ端子、ＲＸ端子及びＶＤＤ端子については、図３において説明したため、ここでの説明は省略する。
【００５６】
第２のコネクタ２２０が有するＧＮＤ１端子は、整合調整用回路（整合調整用素子（Ｚ１）２３０）と電気的に接続している。整合調整用素子２３０は、第２のコネクタ２２０（ＧＮＤ１端子）と基板２００の導体部分２１０である接地電極との間に挿入されているため、ＧＮＤ１端子は、整合調整用素子２３０を介して導体部分２１０に接続している。
【００５７】
第２のコネクタ２２０が有するＧＮＤ２端子は、基板２００の導体部分２１０と電気的に接続している。
【００５８】
なお、図４には、基板２００の導体部分２１０は、ＧＮＤ２端子、整合調整用素子２３０及び光源２９０にのみ接続しているように示されているが、基板２００の導体部分２１０は、例えば、ＣＰＵ２４０、ＲＯＭ２５０、ＲＡＭ２６０、電源２７０及び光源駆動電源２８０にも接続される。
【００５９】
ＣＰＵ２４０は、上述したように、第２のコネクタ２２０を介して、例えば、照明器具を操作する信号を受ける。そして、ＣＰＵ２４０は、照明器具を操作する信号に基づいた信号を光源駆動電源２８０に送る。例えば、ＣＰＵ２４０は、光源駆動電源２８０が有するスイッチング素子のオン、オフを制御する信号を光源駆動電源２８０に送る。
【００６０】
ＲＯＭ２５０は、不揮発性メモリであり、ＲＡＭ２６０は、揮発性メモリである。ＲＯＭ２５０は、例えば、ＣＰＵ２４０に実行させるプログラム等を記憶している。
【００６１】
電源２７０は、アンテナモジュール１００及びＣＰＵ２４０等に直流電力を供給するための電源であり、例えば、電池である。なお、電源２７０は、電池に限らず、交流電源からの交流電力を直流電力に変換してアンテナモジュール１００及びＣＰＵ２４０等に直流電力を供給してもよい。図４には、電源２７０は、第２のコネクタ２２０を介してアンテナモジュール１００にのみ電力を供給しているように示されているが、電源２７０は、例えば、上述したようにＣＰＵ２４０、ＲＯＭ２５０及びＲＡＭ２６０にも電力を供給する。なお、電源２７０は、光源駆動電源２８０にも電力を供給してもよい。
【００６２】
光源駆動電源２８０は、光源２９０を駆動するための電源である。光源駆動電源２８０は、交流電源からの交流電力を直流電力に変換して光源２９０に直流電力を供給する。光源駆動電源２８０は、例えば、スイッチング素子を有し、ＣＰＵ２４０からのスイッチング素子のオン、オフを制御する信号に応じて光源２９０に電力を供給する。例えば、光源駆動電源２８０は、スイッチング素子のオン、オフを制御する信号に応じて光源２９０をＰＷＭ（Ｐｕｌｓｅ  Ｗｉｄｔｈ  Ｍｏｄｕｌａｔｉｏｎ）調光する。なお、光源駆動電源２８０は、電源２７０からの直流電力を光源２９０に供給してもよい。また、光源２９０の種類によっては、光源駆動電源２８０は、光源２９０に交流電力を供給してもよい。
【００６３】
光源２９０は、例えば、ＬＥＤ（Ｌｉｇｈｔ  Ｅｍｉｔｔｉｎｇ  Ｄｉｏｄｅ）光源である。なお、光源２９０は、半導体レーザ等の半導体発光素子、有機ＥＬ（Ｅｌｅｃｔｒｏ  Ｌｕｍｉｎｅｓｃｅｎｃｅ）又は無機ＥＬ等の固体発光素子であってもよい。
【００６４】
なお、光源駆動電源２８０及び光源２９０は、基板２００に搭載されなくてもよい。つまり、照明器具等の無線により操作される機器と基板２００とがそれぞれ独立していてもよい。これにより、利用者がアンテナモジュール１００と基板２００とが接続された無線通信装置を無線により操作したい機器に取り付けるだけで、当該機器を簡単に無線化することができる。
【００６５】
［第１のコネクタ及び第２のコネクタが有する端子の配置］
次に、第１のコネクタ１２０及び第２のコネクタ２２０が有する端子の配置について、図５及び図６を用いて説明する。
【００６６】
まず、第１のコネクタ１２０が有する端子の配置について説明する。
【００６７】
図５は、実施の形態１に係る第１のコネクタ１２０が有する端子の配置を説明する図である。図５には、図１に示される部品面視において第１のコネクタ１２０を見たときの第１のコネクタ１２０が有する端子の配置が示される。つまり、図１に示される第１のコネクタ１２０のａ側と図５に示される端子のａ側が対応しており、図１に示されるａ側に図５に示されるＧＮＤ端子が配置されている。
【００６８】
図５に示されるＲｅｓｅｔ、Ｗａｋｅ、ＣＴＳ、ＲＴＳ、ＴＸ、ＲＸ、ＶＤＤ及びＧＮＤはそれぞれ、図３で説明したＲｅｓｅｔ端子、Ｗａｋｅ端子、ＣＴＳ端子、ＲＴＳ端子、ＴＸ端子、ＲＸ端子、ＶＤＤ端子及びＧＮＤ端子に対応する。また、ＮＣは、ＮＣ（Ｎｏｎ  Ｃｏｎｎｅｃｔｉｏｎ）端子であり、電気的に接続されるものがない端子である。図５に示されるように、第１のコネクタ１２０には、Ｒｅｓｅｔ端子、Ｗａｋｅ端子、ＣＴＳ端子、ＲＴＳ端子、ＴＸ端子、ＲＸ端子、ＶＤＤ端子及びＧＮＤ端子とＮＣ端子とが、点対称の中心Ｏ１を中心に点対称に配置されている。例えば、図５における右上に配置されたＶＤＤ端子と図５における左下に配置されたＮＣ端子とが組となるように、中心Ｏ１を中心に点対称に配置されている。中心Ｏ１は、図１に示されるＯ１に対応し、第１のコネクタ１２０と第２のコネクタ２２０との嵌合中心となる。
【００６９】
このように、第１のコネクタ１２０には、Ｒｅｓｅｔ端子、Ｗａｋｅ端子、ＣＴＳ端子、ＲＴＳ端子、ＴＸ端子、ＲＸ端子、ＶＤＤ端子及びＧＮＤ端子とＮＣ端子とが点対称の位置に配置されている。なお、Ｒｅｓｅｔ端子、Ｗａｋｅ端子、ＣＴＳ端子、ＲＴＳ端子、ＴＸ端子、ＲＸ端子、ＶＤＤ端子及びＧＮＤ端子と同じ機能を有する端子がＮＣ端子の代わりに配置されてもよい。例えば、図５における左下のＮＣ端子の代わりにＶＤＤ端子が配置されてもよい。ここで、同じ機能を有する端子とは、同じタイミングで同じ電位になる端子のことである。
【００７０】
次に、第２のコネクタ２２０が有する端子の配置について説明する。
【００７１】
図６は、実施の形態１に係る第２のコネクタ２２０が有する端子の配置を説明する図である。図６には、図２に示される部品面視において第２のコネクタ２２０を見たときの第２のコネクタ２２０が有する端子の配置が示される。つまり、図２に示される第２のコネクタ２２０のｂ側と図６に示される端子のｂ側が対応しており、図２に示されるｂ側に図６に示されるＧＮＤ１端子が配置されている。
【００７２】
図６に示されるＲｅｓｅｔ、Ｗａｋｅ、ＣＴＳ、ＲＴＳ、ＴＸ、ＲＸ、ＶＤＤ、ＧＮＤ１及びＧＮＤ２はそれぞれ、図４で説明したＲｅｓｅｔ端子、Ｗａｋｅ端子、ＣＴＳ端子、ＲＴＳ端子、ＴＸ端子、ＲＸ端子、ＶＤＤ端子、ＧＮＤ１端子及びＧＮＤ２端子に対応する。図６に示されるように、第２のコネクタ２２０には、同じ機能を有する端子同士が点対称に配置されている。具体的には、第２のコネクタ２２０には、Ｒｅｓｅｔ端子、Ｗａｋｅ端子、ＣＴＳ端子、ＲＴＳ端子、ＴＸ端子、ＲＸ端子及びＶＤＤ端子同士が、点対称の中心Ｏ２を中心に点対称に配置されている。例えば、図６における左上のＶＤＤ端子と図６における右下のＶＤＤ端子とが組となるように、中心Ｏ２を中心に点対称に配置されている。また、第２のコネクタ２２０には、ＧＮＤ１端子とＧＮＤ２端子とが点対称の中心Ｏ２を中心に点対称に配置されている。つまり、図６における左下に配置されたＧＮＤ１端子と図６における右上に配置されたＧＮＤ２端子とが組となるように、中心Ｏ２を中心に点対称に配置されている。なお、ＧＮＤ１端子に接続されている整合調整用素子２３０の直流抵抗が小さいため、ＧＮＤ１端子とＧＮＤ２端子とは、同じ機能を有する端子としている。中心Ｏ２は、図２に示されるＯ２に対応し、第１のコネクタ１２０と第２のコネクタ２２０との嵌合中心となる。
【００７３】
このように、第２のコネクタ２２０には、同じ機能を有する端子同士が点対称に配置されている。
【００７４】
［第１のコネクタと第２のコネクタとの接続］
次に、第１のコネクタ１２０と第２のコネクタ２２０との接続について、図７Ａ及び図７Ｂを用いて説明する。
【００７５】
図７Ａは、実施の形態１に係るアンテナモジュール１００及び基板２００の第１の接続状態となるときの側面図を示す。
【００７６】
図７Ｂは、実施の形態１に係るアンテナモジュール１００及び基板２００の第２の接続状態となるときの側面図を示す。図７Ａ及び図７Ｂでは、アンテナモジュール１００が基板２００に接続される方向をＺ軸方向としている。また、図７Ａ及び図７Ｂでは、アンテナモジュール１００を側面から見たときのアンテナ１０が模式的に示される。
【００７７】
図７Ａ及び図７Ｂに示されるように、オス型コネクタである第１のコネクタ１２０とメス型コネクタである第２のコネクタ２２０とは、軸Ａに沿って嵌合されて接続される。軸Ａは、図１及び図２等に示される点対称の中心Ｏ１及びＯ２を通り、かつ、基板２００に垂直な軸である。
【００７８】
ここで、図７Ａに示されるアンテナモジュール１００と基板２００との位置関係から、アンテナモジュール１００と基板２００とがＺ軸方向に近づけられて接続された状態を第１の接続状態と呼ぶ。また、図７Ｂに示されるアンテナモジュール１００と基板２００との位置関係から、アンテナモジュール１００と基板２００とがＺ軸方向に近づけられて接続された状態を第２の接続状態と呼ぶ。第２の接続状態では、アンテナ１０の位置が第１の接続状態における位置から、点対称の中心Ｏ１及びＯ２を通る基板２００と垂直な軸Ａを中心に反転した位置にある。第１のコネクタ１２０と第２のコネクタ２２０とが有する端子が図５及び図６に示される配置をしているため、第１のコネクタ１２０と第２のコネクタ２２０とは、第１の接続状態及び第２の接続状態で接続することができる。具体的には、第１のコネクタ１２０には、所定の機能を有する端子とＮＣ端子とが点対称に配置され、第２のコネクタ２２０には、同じ機能を有する端子同士が点対称に配置されているため、第１のコネクタ１２０と第２のコネクタ２２０とは、第１の接続状態及び第２の接続状態で接続することができる。つまり、アンテナ１０は、第１のコネクタ１２０及び第２のコネクタ２２０によって基板２００に位置調整可能に取り付けられる。
【００７９】
［第１の接続状態及び第２の接続状態］
次に、第１の接続状態及び第２の接続状態について、図８及び図９を用いて詳細に説明する。
【００８０】
まず、第１の接続状態について説明する。
【００８１】
図８Ａは、実施の形態１に係る無線通信装置１の第１の接続状態における上面図である。ここで、無線通信装置１をアンテナモジュール１００と基板２００とが接続された装置としている。また、図８Ａに示されるアンテナモジュール１００は、第１のコネクタ１２０を第２のコネクタ２２０に接続するために図１に示されるアンテナモジュール１００を裏返したものである。
【００８２】
図８Ｂは、実施の形態１に係る無線通信装置１の第１の接続状態における側面図である。図８Ｂには、基板２００の内層に基板２００の略全面に亘って配置されている導体部分２１０が破線で示されている。図８Ａにおける平面視では、第１のコネクタ１２０と第２のコネクタ２２０との接続が見られないが、図８Ｂに示されるように、第１のコネクタ１２０と第２のコネクタ２２０とが接続している。また、通信回路部１３０が基板２００と接するように、通信回路部１３０と基板２００とは、例えば両面テープ等の接着部材で固定される。さらに、アンテナモジュール１００と基板２００とが例えばネジ等の締結部材で固定される。このとき、アンテナ１０と基板２００とは、Ｚ軸方向に所定の間隔をあけて重なっている。
【００８３】
図８Ａ及び図８Ｂに示されるように、第１の接続状態では、アンテナ１０と導体部分２１０とが平面視において（Ｚ軸方向から見て）重なる位置関係にある。
【００８４】
図８Ｃは、実施の形態１に係る第１のコネクタ１２０及び第２のコネクタ２２０が有する端子の第１の接続状態における配置を示す図である。
【００８５】
図８Ｃに示される第１のコネクタ１２０の端子の配置図には、図８Ａに示されるＺ軸の正の方向側から第１のコネクタ１２０を見たときの第１のコネクタ１２０が有する端子の配置が示される。図８Ｃに示される第１のコネクタ１２０の端子の配置は、図５に示される第１のコネクタ１２０が有する端子の配置を左右方向に裏返した状態となる。また、図８Ａに示される第１のコネクタ１２０のａ側と図８Ｃに示される端子のａ側とが対応しており、図８Ａに示されるａ側に図８Ｃに示されるＧＮＤ端子が配置されている。
【００８６】
また、図８Ｃに示される第２のコネクタ２２０の端子の配置図には、図８Ａに示されるＺ軸の正の方向側から第２のコネクタ２２０を見たときの第２のコネクタ２２０の端子の配置が示される。図８Ａに示される第２のコネクタ２２０のｂ側と図８Ｃに示される端子のｂ側とが対応しており、図８Ａに示されるｂ側に図８Ｃに示されるＧＮＤ１端子が配置されている。
【００８７】
第１の接続状態では、図８Ａに示されるＺ軸の正の方向側から第１のコネクタ１２０と第２のコネクタ２２０とを見たときに、第１のコネクタ１２０及び第２のコネクタ２２０の端子は、図８Ｃに示される第２のコネクタ２２０の端子の上に図８Ｃに示される第１のコネクタ１２０の端子が重なった状態になる。つまり、図８Ｃに示される同じ位置にある第１のコネクタ１２０の端子と第２のコネクタ２２０の端子とが接続される。例えば、第２のコネクタ２２０のｂ側のＧＮＤ１端子の上に第１のコネクタ１２０のａ側のＧＮＤ端子が重なる、つまり、第１のコネクタ１２０のＧＮＤ端子と第２のコネクタ２２０のＧＮＤ１端子とが接続される。
【００８８】
第１の接続状態では、第１のコネクタ１２０のＧＮＤ端子が第２のコネクタ２２０のＧＮＤ１端子に接続される。したがって、ＧＮＤ１端子は、整合調整用素子２３０を介して導体部分２１０に接続しているため、アンテナモジュール１００（第１のコネクタ１２０）のＧＮＤ端子は、整合調整用素子２３０を介して導体部分２１０に接続する。
【００８９】
次に、第２の接続状態について説明する。
【００９０】
図９Ａは、実施の形態１に係る無線通信装置１の第２の接続状態における上面図である。図９Ａに示されるアンテナモジュール１００は、図８Ａと同様に、第１のコネクタ１２０を第２のコネクタ２２０に接続するために図１に示されるアンテナモジュール１００を裏返したものである。
【００９１】
図９Ｂは、実施の形態１に係る無線通信装置１の第２の接続状態における側面図である。図９Ｂには、基板２００の内層に基板２００の略全面に亘って配置されている導体部分２１０が破線で示されている。図９Ａにおける平面視では、第１のコネクタ１２０と第２のコネクタ２２０との接続が見られないが、図９Ｂに示されるように、第１のコネクタ１２０と第２のコネクタ２２０とが接続している。また、通信回路部１３０が基板２００と接するように、通信回路部１３０と基板２００とは、例えば両面テープ等の接着部材で固定される。さらに、アンテナモジュール１００と基板２００とが例えばネジ等の締結部材で固定される。このとき、アンテナ１０は、基板２００からＹ軸の負の方向側に飛び出している。
【００９２】
図９Ａ及び図９Ｂに示されるように、第２の接続状態では、アンテナ１０と導体部分２１０とが平面視において（Ｚ軸方向から見て）重ならない位置関係にある。ここで、アンテナ１０と導体部分２１０とが平面視において重ならない位置関係とは、アンテナ１０のうち給電点１１よりも先端の部分が導体部分２１０と重ならない位置関係のことである。図９Ａでは、アンテナ１０のうち給電点１１よりも下側（Ｙ軸の負の方向側）が平面視において導体部分２１０と重ならない。同様に、図９Ｂでは、アンテナ１０のうち給電点１１よりも左側（Ｙ軸の負の方向側）が平面視において導体部分２１０と重ならない。
【００９３】
図９Ｃは、実施の形態１に係る第１のコネクタ１２０及び第２のコネクタ２２０が有する端子の第２の接続状態における配置を示す図である。
【００９４】
図９Ｃに示される第１のコネクタ１２０の端子の配置図には、図９Ａに示されるＺ軸の正の方向側から第１のコネクタ１２０を見たときの第１のコネクタ１２０が有する端子の配置が示される。図９Ｃに示される第１のコネクタ１２０の端子の配置は、図５に示される第１のコネクタ１２０が有する端子の配置を上下方向に裏返した状態となる。また、図９Ａに示される第１のコネクタ１２０のａ側と図９Ｃに示される端子のａ側とが対応しており、図９Ａに示されるａ側に図９Ｃに示されるＧＮＤ端子が配置されている。
【００９５】
図９Ｃに示される第２のコネクタ２２０の端子の配置図は、図８Ｃに示される第２のコネクタ２２０の端子の配置図と同じであるため、説明は省略する。
【００９６】
第２の接続状態では、図９Ａに示されるＺ軸の正の方向側から第１のコネクタ１２０と第２のコネクタ２２０とを見たときに、第１のコネクタ１２０及び第２のコネクタ２２０の端子は、図９Ｃに示される第２のコネクタ２２０の端子の上に図９Ｃに示される第１のコネクタ１２０の端子が重なった状態になる。つまり、図９Ｃに示される同じ位置にある第１のコネクタ１２０の端子と第２のコネクタ２２０の端子とが接続される。例えば、図９Ｃに示される第２のコネクタ２２０の右上側に配置されたＧＮＤ２端子の上に第１のコネクタ１２０のａ側のＧＮＤ端子が重なる、つまり、第１のコネクタ１２０のＧＮＤ端子と第２のコネクタ２２０のＧＮＤ２端子とが接続される。
【００９７】
第２の接続状態では、第１のコネクタ１２０のＧＮＤ端子が第２のコネクタ２２０のＧＮＤ２端子に接続される。したがって、ＧＮＤ２端子は、導体部分２１０に接続しているため、アンテナモジュール１００（第１のコネクタ１２０）のＧＮＤ端子は、導体部分２１０に接続する。
【００９８】
図８及び図９に示されるように、アンテナ１０と導体部分２１０との平面視における位置関係は、第１のコネクタ１２０と第２のコネクタ２２０との接続状態に応じて変化する。具体的には、第１のコネクタ１２０と第２のコネクタ２２０との接続状態には、第１の状態及び第２の状態が含まれる。第１の接続状態では、アンテナ１０と導体部分２１０とが平面視において重なる位置関係になる。第２の接続状態では、アンテナ１０と導体部分２１０とが平面視において重ならない位置関係になり、かつ、アンテナ１０の位置が第１の接続状態における位置から、点対称の中心を通る基板２００と垂直な軸を中心に反転した位置にある。このように、基板２００の平面視においてアンテナ１０と基板２００が有する導体部分２１０との位置関係が変化するように、アンテナ１０は、基板２００に位置調整可能に取り付けられる。
【００９９】
次に、第１の接続状態及び第２の接続状態における無線通信装置１の指向性について説明する。
【０１００】
第１の接続状態では、図８Ａ及び図８Ｂに示されるように、アンテナ１０と導体部分２１０とが平面視において重なる位置関係にある。これにより、導体部分２１０が遮蔽物となるため、アンテナ１０は、図８Ａ及び図８Ｂに示されるＺ軸の負の方向側へ電波を放射しにくくなる。さらに、図８Ｃに示されるように、第１のコネクタ１２０のＧＮＤ端子が第２のコネクタ２２０のＧＮＤ１端子に接続される。つまり、アンテナモジュール１００（第１のコネクタ１２０）のＧＮＤ端子は、整合調整用素子２３０を介して基板２００の導体部分２１０に接続する。このとき、アンテナ１０に流れる高周波電流と当該高周波電流によって導体部分２１０に励起される電流とが、使用周波数帯において略逆位相で略同振幅となるように、整合調整用素子２３０の定数が選定される。つまり、整合調整用素子２３０は、図８Ａ及び図８Ｂに示されるＺ軸の負の方向側へ照射される電波を弱め、Ｚ軸の正の方向側へ放射される電波を強める。このように、第１の接続状態では、アンテナ１０は、単一の指向性となる。
【０１０１】
第２の接続状態では、図９Ａ及び図９Ｂに示されるように、アンテナ１０と導体部分２１０とが平面視において重ならない位置関係にある。これにより、第１の接続状態と異なり、導体部分２１０が遮蔽物とならず、アンテナ１０が放射される電波は、図８Ａ及び図８Ｂに示されるＺ軸の負の方向側を含む全方向へ放射される。このように、第２の接続状態では、アンテナ１０は、無指向性となる。
【０１０２】
［効果等］
次に、本実施の形態に係るアンテナモジュール１００及び無線通信装置１によって奏される効果について図１０Ａ及び図１０Ｂを用いて説明する。
【０１０３】
図１０Ａは、実施の形態１に係るアンテナ１０の第１の接続状態における放射状態を示す模式図である。
【０１０４】
図１０Ｂは、実施の形態１に係るアンテナ１０の第２の接続状態における放射状態を示す模式図である。図１０Ａ及び図１０Ｂに示されるように、無線通信装置１は被取付部４００に取り付けられる。被取付部４００は、例えば天井、壁又は柱等である。また、破線で示される矢印は電波の放射方向を模式的に示したものである。
【０１０５】
図１０Ａに示されるように、第１の接続状態では、アンテナ１０は単一の指向性となり、Ｚ軸の正の方向側を主とする方向へ電波を放射する。例えば被取付部４００が天井の場合、アンテナ１０は、床方向を主とする方向へ電波を放射し、天井（被取付部４００）を通した上階方向への放射が抑制される。さらに、整合調整用素子２３０の定数を選定することで、床方向における電界強度を最も強くすることができる。
【０１０６】
図１０Ｂに示されるように、第２の接続状態では、アンテナ１０は無指向性となり、全方向へ電波を放射する。例えば被取付部４００が柱の場合、アンテナ１０は、柱（被取付部４００）を通したフロア内の広い範囲へ電波を放射する。
【０１０７】
ところで、汎用のアンテナモジュールでは、無指向性アンテナを用いて広い範囲へ均一なアクセスを提供することが望まれることが多いため、無線通信装置１は、上述した第２の接続状態（無指向性）で使用されることが多い。
【０１０８】
しかし、無線通信装置１の設置場所に、例えば、鉄骨から成る天井の梁が張り出しているような場合、アンテナ１０の放射により鉄骨に高周波電流が流れることで、アンテナの放射特性が乱されることがある。これにより、無線通信装置１が設置されたフロアのうちの一部の場所がヌル点、すなわち、電波の放射が著しく弱い場所になってしまうことがある。このような場合であっても、本発明の構成によれば、アンテナ１０と基板２００が有する導体部分２１０との位置関係が変化することで、アンテナ１０を無指向性から単一指向性に変更することができる。具体的には、第１のコネクタ１２０と第２のコネクタ２２０との接続状態を第２の接続状態から第１の接続状態に変えるだけで、アンテナ１０を無指向性から単一指向性に変更することができる。よって、アンテナ１０の放射特性を安定して変更することができる。
【０１０９】
また、用途によっては、図１０Ａで説明したように、単一指向性のアンテナが望まれることがある。従来であれば、無指向性アンテナとは別に単一指向性アンテナを製造する必要があったが、本発明の構成によれば、基板２００へのアンテナモジュール１００の取り付け方法を変えるだけよい。
【０１１０】
以上のように、本実施の形態に係るアンテナモジュール１００及び無線通信装置１は、１つのアンテナで容易に指向性を切り替えられる。
【０１１１】
これにより、無線通信装置１を金属等へ設置する際にも、アンテナ特性（アンテナ利得）の劣化を容易に抑制することができる。また、無線通信装置１が設置される環境によるアンテナ特性の差異を小さくすることができるため、システムの構築が容易になる。
【０１１２】
また、無線通信装置１を天井に設置する場合に、上階への放射を少なくするか、広い範囲に放射させるかを容易に選択できる。
【０１１３】
さらに、チップインダクタ等の整合調整用素子２３０の定数をジャンパー等で切り替えるだけで、指向性の調整ができる。
【０１１４】
このように、施工の最終段階においてアンテナ特性を最適化でき、通信を安定化させることができる。
【０１１５】
また、同一の仕様で量産されたアンテナモジュール又は無線通信装置を無指向性と単一指向性との両方で使用することができるため、製造に掛かる固定費を低減でき、コストを抑制することができる。
【０１１６】
（実施の形態２）
次に、実施の形態２について、図１１を用いて説明する。
【０１１７】
図１１は、実施の形態２に係る基板２００ａの機能の一例を示すブロック図である。
【０１１８】
実施の形態２における基板２００ａでは、整合調整用回路は、複数の整合調整用素子として整合調整用素子２３０及び整合調整用素子２３１からスイッチ３００によって所望の整合調整用素子を選択する回路であり、整合調整用回路のインピーダンスは可変である。このように、基板２００ａは、整合調整用素子２３１及びスイッチ３００が追加されている点が実施の形態１における基板２００と異なる。その他の構成は、実施の形態１におけるものと同じであるため説明は省略する。なお、整合調整用回路は、可変整合調整用素子で構成された回路であってもよい。
【０１１９】
スイッチ３００は、ＧＮＤ１端子と整合調整用素子２３１との電気的接続のオン、オフを切り替えるスイッチである。スイッチ３００は、特に限定されず、例えば、トグルスイッチ等の機械的なスイッチ、又は、トランジスタ等の電気的なスイッチ等である。また、スイッチ３００は、ジャンパー等であってもよい。スイッチ３００がオフの場合、ＧＮＤ１端子には整合調整用素子２３０が接続され、スイッチ３００がオンの場合、ＧＮＤ１端子には整合調整用素子２３０及び整合調整用素子２３１が並列に接続される。このように、スイッチ３００は、第１の接続状態におけるアンテナモジュール１００のＧＮＤ端子と基板２００の導体部分２１０である接地電極との間に挿入される整合調整用回路を、整合調整用素子２３０単体と整合調整用素子２３０及び整合調整用素子２３１の並列接続とのうちのどちらかに切り替える。
【０１２０】
整合調整用素子２３０は、実施の形態１におけるものと同じであり、スイッチ３００がオフのときに、アンテナ１０に流れる高周波電流と当該高周波電流によって導体部分２１０に励起される電流とが、使用周波数帯において略逆位相で略同振幅となるような定数が選定される。つまり、整合調整用素子２３０は、アンテナ１０が単一指向性となるような定数が選定される。
【０１２１】
整合調整用素子２３１は、例えばチップ抵抗である。整合調整用素子２３１は、スイッチ３００がオンのときに、整合調整用素子２３０の両端をダンピングするためのダンピング抵抗である。整合調整用素子２３０が整合調整用素子２３１に並列に接続された状態では、指向性が鈍くなる。これにより、スイッチ３００がオンのときには、単一指向性と無指向性との中間的な指向性を実現することができる。なお、整合調整用素子２３０と整合調整用素子２３１との並列直流抵抗は、整合調整用素子２３０と略同じで十分小さいため、アンテナモジュール１００の動作特性に影響を与えない。
【０１２２】
以上のように、本実施の形態に係るアンテナモジュール１００及び無線通信装置１は、実施の形態１において奏される効果に加えて、第１の接続状態において、単一指向性と無指向性との中間的な指向性を実現することができる。
【０１２３】
（その他の実施の形態）
以上、本発明のアンテナモジュール１００及び無線通信装置１について、実施の形態１及び２に基づいて説明したが、本発明は、これらの実施の形態に限定されるものではない。本発明の主旨を逸脱しない限り、当業者が思いつく各種変形を実施の形態に施したものや、実施の形態における一部の構成要素を組み合わせて構築される別の形態も、本発明の範囲に含まれる。
【０１２４】
例えば、上記実施の形態では、無線により操作される機器は、天井に設置される照明器具であったが、これに限らない。例えば、無線により操作される機器は、天井に設置される空調機器、壁に設置されるＢＥＭＳ（Ｂｕｉｌｄｉｎｇ  Ｅｎｅｒｇｙ  Ｍａｎａｇｅｍｅｎｔ  Ｓｙｓｔｅｍ）コントローラ、又は、棚に設置される電子棚札等の設置場所の環境によらず放射特性を調整したい機器であってもよい。
【０１２５】
また、例えば、上記実施の形態では、アンテナ１０のうちの給電点１１よりも先端の部分と導体部分２１０とが平面視において完全に重なる位置関係と完全に重ならない位置関係とにおいて、アンテナ１０が基板２００（２００ａ）に取り付けられたが（図８及び図９参照）、これに限らない。例えば、アンテナ１０のうちの給電点１１よりも先端の一部分と導体部分２１０とが平面視において重なる位置関係と重ならない位置関係とにおいて、アンテナ１０が基板２００（２００ａ）に取り付けられてもよい。
【０１２６】
また、例えば、上記実施の形態では、通信回路部１３０は、アンテナモジュール１００に備えられたが、これに限らない。例えば、通信回路部１３０は、基板２００（２００ａ）に備えられてもよい。
【０１２７】
また、例えば、上記実施の形態では、第１のコネクタ１２０及び第２のコネクタ２２０により、アンテナ１０が基板２００（２００ａ）に位置調整可能に取り付けられたが、これに限らない。例えば、アンテナ１０又はアンテナモジュール１００は、アンテナ１０が可動する構成を有してもよく、アンテナ１０が可動してアンテナ１０が基板２００（２００ａ）に位置調整可能に取り付けられてもよい。また、例えば、基板２００（２００ａ）は、導体部分２１０が可動する構成を有してもよく、導体部分２１０が可動してアンテナ１０が基板２００（２００ａ）に位置調整可能に取り付けられてもよい。
【０１２８】
また、例えば、上記実施の形態では、１つの第２のコネクタ２２０に第１のコネクタ１２０が接続されたが、これに限らない。例えば、複数の第２のコネクタ２２０に第１のコネクタ１２０が接続されてもよい。具体的には、第１のコネクタ１２０が複数の第２のコネクタ２２０のそれぞれに接続されたときに、アンテナ１０と導体部分２１０との位置関係がそれぞれ変化するように、複数の第２のコネクタ２２０が基板２００（２００ａ）に設けられてもよい。このようにして、アンテナ１０が基板２００（２００ａ）に位置調整可能に取り付けられてもよい。
【０１２９】
また、例えば、上記実施の形態では、整合調整用回路は、第２のコネクタ２２０と基板２００（２００ａ）の導体部分２１０である接地電極との間に挿入されたが、これに限らない。例えば、整合調整用回路は、第２のコネクタ２２０と基板２００（２００ａ）の電源電極又は信号線等との間に挿入されてもよい。そして、例えば、アンテナ１０の放射電極の一部を第１のコネクタ１２０と接続し、基板２００（２００ａ）側でインピーダンスを調整してもよい。このように、基板２００（２００ａ）に実装する素子又は配線等によってアンテナ１０の放射特性に影響を与える要素に対して本発明が適用できる。
【産業上の利用可能性】
【０１３０】
本発明は、指向性を切り替えられる通信モジュールとして、例えば、照明器具、空調機器等の機器が端末装置又はリモコン等と通信できるようにするための通信モジュールとして利用できる。
【符号の説明】
【０１３１】
１  無線通信装置
１０  アンテナ
１１  給電点
１００  アンテナモジュール
１２０  第１のコネクタ
１３０  通信回路部
１４０、２４０  ＣＰＵ
１５０、２５０  ＲＯＭ
１６０、２６０  ＲＡＭ
２００、２００ａ  基板
２１０  導体部分
２２０  第２のコネクタ
２３０、２３１  整合調整用素子
２７０  電源
２８０  光源駆動電源
２９０  光源
３００  スイッチ
４００  被取付部
【図１】
0006575228.tif 000002
【図２】
0006575228.tif 000003
【図３】
0006575228.tif 000004
【図４】
0006575228.tif 000005
【図５】
0006575228.tif 000006
【図６】
0006575228.tif 000007
【図７Ａ】
0006575228.tif 000008
【図７Ｂ】
0006575228.tif 000009
【図８Ａ】
0006575228.tif 000010
【図８Ｂ】
0006575228.tif 000011
【図８Ｃ】
0006575228.tif 000012
【図９Ａ】
0006575228.tif 000013
【図９Ｂ】
0006575228.tif 000014
【図９Ｃ】
0006575228.tif 000015
【図１０Ａ】
0006575228.tif 000016
【図１０Ｂ】
0006575228.tif 000017
【図１１】
0006575228.tif 000018